(57)【要約】【課題】    本発明は、水引飾り製品が焼却処分時に残渣が発生し、また弔事における棺桶内への贈物としては火葬後に燃え残るものを禁止されるために、燃え残りが生じない原料だけで作られた新しい供物用製品とその製品化する方法を提供する。【解決手段】    水引のみを束ねて金属製等の芯材は用いずに、固化して固まる接着剤等を水引に塗布してから副え木・型枠等を当てて曲げ、あるいは環状、籠状などを創作し、固化後にはその形状を維持できるように水引の交差部分も各所接着固定することにより製造して、本製品を燃焼させた場合には残渣物の発生がない。【選択図】  図２
2006207072.tif 000002
【特許請求の範囲】
【請求項１】
慶弔時に使用される水引製の製品において、
焼却時に残渣物が発生しないように形状を形づくるための基礎構造体に金属製もしくは不燃性の芯材を用いることなく、水引を撚り合わせる段階で接着剤、糊等の固化溶剤を水引に塗布し水引自体を固化させて、さらに副え木・型枠等を当てて曲げなどの形状を創作したことを特徴とする水引製品およびその製造方法。
【請求項２】
弔事において火葬前の棺桶内にお別れの贈物として納めることが出来るようにその製品が燃焼し残渣物の残らない水引だけで全て構成されているか、もしくは可燃無残渣性で形状維持できる芯材を用いたことを特徴とする請求項１に記載の水引製品。
【請求項３】
水引を束ねたり、上下に交差させて環状や籠状の形状を作り出す場合において、型取りのための金属製等不燃芯材を用いず、水引のみを芯材として水引の撚りと交差部分の接着によって形状を創作して、台上から持ち上げても形状を充分保持することが出来る保形性を有することを特徴とする請求項１に記載の水引製品。
【発明の詳細な説明】
【技術分野】
【０００１】
本発明は、慶弔時に用いられる水引製の製品とその製造方法に関するものである。
【背景技術】
【０００２】
水引は強度のある和紙などを撚ってひも状とし、糊などを含ませて乾燥後に直接着色もしくは金、銀などの金属色の箔を巻き付けて作られており、慶弔時の封書飾り付けや鶴亀などの縁起物をかたどった飾り製品の製造時に使用されている。
【０００３】
水引自体はコヨリ状であって保形性を持たないので、例えば鶴亀などを製作する際には針金などでおおまかに型取った芯材をつくり、これに水引を巻いていくことによって形づくられている。
【特許文献１】特開平１１−２７９９１０
【発明の開示】
【発明が解決しようとする課題】
【０００４】
水引飾りの使用後廃棄処分時の針金残渣の問題、または弔事において火葬の際のお別れの供物として棺桶内に納める品は、火葬後に針金などが燃え残るために金属類使用の品を入れることを斎場側から断られる場合が多く、棺内に入れることができるものは少量の花や紙製品などに限られていた。
【課題を解決するための手段】
【０００５】
本発明は、焼却された後に残渣物を残さないように不燃性の金属類や有毒性ガス発生の恐れがあるプラスチックなどを一切用いずに水引飾りを製作するために、水引のみを束ねて接着剤等の固化剤を塗布し、固化前に曲げなどを形づくり、必要に応じて部分的に副え木を当てて固化を待つ。
【０００６】
塗布した固化剤が固まれば、水引だけであっても曲げ部分は形状が保たれるので、芯材がなくとも自由な型取りが可能で、様々な形の水引飾りを製作できる。
【発明の効果】
【０００７】
この発明は前記のように構成されており、以下に記載のような効果を有する。
【０００８】
第一として、水引飾り使用後のゴミとしての廃棄処理において、ゴミ分別の必要がある昨今では、紙素材の水引と不燃物の金属製芯材が容易に剥離できないこれまでの水引飾りは、仕方なく可燃または不燃の一方のゴミとしてまとめて捨てるしかなく、ゴミ処理の上で問題が生じていた。
【０００９】
第二に、弔事において、親族との別れとして火葬の際には棺桶に思い出の品やお別れの供物を捧げたいところであるが、不燃性の故人の品々はもちろん、生花であっても一定以上棺桶内に納めることを斎場側から断られることもあった。
【００１０】
ここで、紙素材の水引だけから製作された品々であれば、ゴミとしては可燃ゴミとして捨てることができ、また供物として棺桶内に納める場合にも問題なく炉内で燃焼し、残渣物もほとんど発生しないので、故人を送る品として棺桶内に納めることが出来る。
【００１１】
特に故人に手向ける品としては、これまでになかった形状の水引製品として弔事用に製作すれば、故人の冥福をお祈りして棺桶内に納める新しい儀式、習慣として根付く可能性があり、故人のご遺体と共に全て燃えてなくなる素材で製作することにまた別の意義がある。
【００１２】
弔事用の新たな水引製品の開発、販売が期待できる。
【発明を実施するための最良の形態】
【００１３】
水引を用いて水引飾り等を製作する際に、芯材として型取り用の金属製等の不燃物を用いず、水引を束ねて接着剤等の固化剤を塗布し、固化する前に型取りして水引飾りを製作する。
【００１４】
本発明を更に詳細に説明する。
【００１５】
図１に示すのは水引飾りの一例であるが、これまでは全体の基本形及び曲げ部分１を形づくるために芯材として針金などが用いられ、この芯材に水引２を巻き付けて製作されていた。
【００１６】
図２は本発明の方法によって製作された水引飾りの断面図であるが、水引飾りの内部はすべて水引２を束ねて構成されており、曲げ部分１を形づくるために外巻きの水引３に接着剤等の固化溶剤を塗布し、副え木や型枠などを当てて曲げを形成して固化させる。
【００１７】
図３に示す一例から、水引飾りの羽根部４及び尾羽根部５を形成する水引は、まず水引を平行に３〜５本程度並べて接着剤等により接合し、これを中心材として更に細かい飾りを周辺に形成していくが、この際に水引同士が交差する部分６において各箇所が接着されており、その形は台上から持ち上げても崩れることなく外観を保つので、容易に移動が可能である。
【実施例１】
【００１８】
例えば鶴を模した水引飾りを製作する場合、白色のまま又は着色された水引を用いて、背部分、羽根部分、尾羽部分など各パーツを別けて製作すると共に、その端部は水引をある程度延ばしたまま残しておく。
【００１９】
羽根部分４や尾羽部分５の形成は、針金などの芯材を用いずに製作するため、一重から二重と水引のみが交差して形成されるので、その形を保つために各交差部分において接着あるいは撚りを掛けることによって接合していく。
【００２０】
各パーツが揃えば、それらを組み合わせてから、それぞれ残していた水引の端部を一つに束ねて鶴の首部分を形成する。
【００２１】
この状態では、水引が束ねられただけで外観上見栄えが良くないので、首部等には新に外巻きの水引３を外周に沿って巻いていく。
【００２２】
外巻きの水引３を巻き終えた状態では、首部は直線状であり水引のみで構成されているために、曲線状態に曲げてもそのまま曲げ状態を維持することが出来ないので、保形性を持たせるために接着剤、ニス、糊、樹脂液などの固化剤を外巻きの水引３に全体塗布し、その後曲げた状態で副え木を当てるか、もしくは型枠に嵌めて曲げた状態のまま固化させる。
【００２３】
固化後、副え木もしくは型枠を外せば、曲げ部分１は塗布した固化剤が固まって状態を保持し、芯材を要せずに曲げ部分や反り、屈折部分を作り出すことが可能である。
【００２４】
なお、可燃性で曲げ状態を保持できる樹脂製などの芯材を用いても、同様の水引製品を作成することが可能である。
【産業上の利用可能性】
【００２５】
旧来、水引飾りは型取りのために針金等芯材として曲げた状態を表現して製作されていたが、廃棄処理において、ゴミ分別の上で可燃物の水引と不燃物の針金等芯材を別ける必要が生じている。しかしながら、芯材から水引を取り外すことは容易でないため、結局は
可燃ゴミ又は不燃ゴミのどちらか一方として処分されており、ゴミ処分の上で問題があった。
【００２６】
また、弔事において、水引製品を故人の棺桶に手向けの品として納めてあげたいとの要望があったが、針金等の芯材を用いた水引製品は、火葬後に金属残渣物が残るために斎場側から断られることが多く、わずかな生花や紙製品くらいしか納めることが出来なかった。
【００２７】
そこで、金属残渣物が残らない紙製だけ又は可燃性芯材を用いた水引製品であれば故人の棺桶に入れることが可能であるから、親族等が最後のお別れに棺に納める製品を作ることができ、弔事向けの水引製品を作成し販売することが出来る。
【図面の簡単な説明】
【００２８】
【図１】本発明の方法を用いた製品の部分外側面図を示す。
【図２】本発明の方法を用いた製品の部分断面図を示す。
【図３】本発明の方法を用いた製品の全体外観図を示す。
【符号の説明】
【００２９】
１…曲げ部分
２…水引
３…外巻きの水引
４…羽根部
５…尾羽根部
６…水引の交差部分
【図１】
2006207072.tif 000003
【図２】
2006207072.tif 000004
【図３】
2006207072.tif 000005